(57)【要約】      （修正有）【課題】排煙窓を押し上げて閉窓する際に、横滑りすることがない排煙窓開閉用のフック棒を提供する。【解決手段】長尺状の棒部２の一端に排煙窓の施錠具の係合を解除可能なフック部３を備えた、排煙窓開閉用のフック棒１であって、他端に排煙窓を押し上げて閉窓するための押圧部４を設けるにあたり、押圧部４には、排煙窓を構成する上側框の角部に係止可能な段差部を備えた押圧体６を設けることとした。【選択図】図２
0003202850.tif 000002
【実用新案登録請求の範囲】
【請求項１】
長尺状の棒部の一端に排煙窓の施錠具の係合を解除可能なフック部を備えた排煙窓開閉用のフック棒であって、棒部の他端に排煙窓を押し上げて閉窓するための押圧部を設けるにあたり、該押圧部には、排煙窓を構成する上側框の角部に係止可能な段差部を備えた押圧体が設けられていることを特徴とする排煙窓開閉用のフック棒。
【請求項２】
押圧体は、中間脚辺によって仕切られた中空筒体であることを特徴とする請求項１記載の排煙窓開閉用のフック棒。
【請求項３】
段差部は傾斜状の段差であることを特徴とする請求項１または２記載の排煙窓開閉用のフック棒。
【請求項４】
押圧部には、アダプターが設けられており、前記押圧体は、該アダプターによって前記棒部に介装されることを特徴とする請求項１乃至３いずれか１記載の排煙窓開閉用のフック棒。
【考案の詳細な説明】
【技術分野】
【０００１】
本考案は、排煙窓を開閉するために用いられる排煙窓開閉用のフック棒の技術分野に属するものである。
【背景技術】
【０００２】
一般に、室内の換気や発生した煙の排出をするために、部屋の高所に下端縁が揺動自在に軸支された外倒し（あるいは内倒し）の排煙窓が設けられることがある。こうした排煙窓の開閉機構としては、ワイヤー式、ハンドル式のものや、押釦で作動させる機械制御によるものが存在する一方、トップラッチによる係合を利用して開閉作業を行えるもの（図１参照）等、多数が存在する。こうしたトップラッチの係合を解除する操作自体はトップラッチを引き操作する等して簡単にできるものの、排煙窓はその性質上高所に設けられることが通常であるため、実際の開閉作業に際しては高所に届く長尺の用具が用いられることが多い。
排煙窓の開閉に用いられる長尺の用具としては、たとえば特許文献１のものが知られている。このものは、伸縮棒の先端にフックを備えたフック棒であって、先端のフックを排煙窓のトップラッチに差し込み、トップラッチとトップラッチ受けとの係合を解除するよう引き操作することによって、排煙窓が傾斜可能となって開窓されることになる。これに対し、排煙窓を閉窓する場合には、開窓時同様に先端のフックをトップラッチに差し込み、傾斜した排煙窓を押し上げてトップラッチをトップラッチ受けに係合させて閉窓することができるが、排煙窓の傾斜側から排煙窓上部の框と窓ガラス部との段差部にフック棒の上下いずれかの先端を宛がって排煙窓を押し上げ、トップラッチをトップラッチ受けに係合させることで閉窓することもできる。閉窓にいずれの方法をとるかは操作者が適宜選択可能であるが、フックをトップラッチに差し込んで排煙窓を押し上げる場合、フック部にかかる力が大きくなるためフック棒の損耗が懸念されることや、長尺のフック棒の先端にあるフックをトップラッチに差し込む作業自体が困難を伴うものであるため、後者の方法をとることが操作者に便宜であることが多い。
【先行技術文献】
【特許文献】
【０００３】
【特許文献１】実用新案登録第３１４８６４８号公報
【考案の概要】
【考案が解決しようとする課題】
【０００４】
ところがこのものは、排煙窓の段差部にフック棒の先端を宛がって排煙窓を押し上げて閉窓しようとする場合に、フック棒の先端部がガラス表面や框等に接触して排煙窓に傷を付けるおそれがある。また、近年では排煙窓のデザイン性等を向上させるために、框を肉薄として框とガラス部との段差が小さいものが製造販売されている。こうした框とガラス部の段差が小さい排煙窓を閉窓しようとすると、フック棒の先端を段差部に十分に係止できず、排煙窓を押し上げようとする力が左右方向へ逃げてしまうためフック棒が横滑りして操作性が悪いうえ、排煙窓を傷つける可能性も大きくなるという問題があり、これらに本考案の解決すべき課題がある。
【課題を解決するための手段】
【０００５】
本考案は、上記の如き実情に鑑みこれらの課題を解決することを目的として創作されたものであって、請求項１の考案は、長尺状の棒部の一端に排煙窓の施錠具の係合を解除可能なフック部を備えた排煙窓開閉用のフック棒であって、棒部の他端に排煙窓を押し上げて閉窓するための押圧部を設けるにあたり、該押圧部には、排煙窓を構成する上側框の角部に係止可能な段差部を備えた押圧体が設けられていることを特徴とする排煙窓開閉用のフック棒である。
請求項２の考案は、押圧体は、中間脚辺によって仕切られた中空筒体であることを特徴とする請求項１記載の排煙窓開閉用のフック棒である。
請求項３の考案は、段差部は傾斜状の段差であることを特徴とする請求項１または２記載の排煙窓開閉用のフック棒である。
請求項４の考案は、押圧部には、アダプターが設けられており、前記押圧体は、該アダプターによって前記棒部に介装されることを特徴とする請求項１乃至３いずれか１記載の排煙窓開閉用のフック棒である。
【考案の効果】
【０００６】
請求項１の考案とすることにより、排煙窓を閉窓する際に、段差部が排煙窓の上側の框の角部に係止するため、横滑りすることなく確実に閉窓することができる。
請求項２の考案とすることにより、中間脚辺によって押圧体の上面が維持されることとなるため、閉窓する際に安定して押圧をすることができるとともに、押圧部がへたりにくくなるため、長寿命化を図ることができる。
請求項３の考案とすることにより、段差部が傾斜状であるため、排煙窓の框やガラス部と押圧部が複数の面で確実に係止することが可能となり、排煙窓の閉窓を安定してすることができる。
請求項４の考案とすることにより、押圧体がアダプターによって安定して保持されることとなるため、押圧体の端部がしならず、押圧体と排煙窓の当接面が広く維持されるため、排煙窓の閉窓を安定してすることができる。
【図面の簡単な説明】
【０００７】
【図１】排煙窓の側面断面図である。
【図２】（Ａ）は排煙窓開閉用のフック棒の正面図、（Ｂ）は排煙窓開閉用のフック棒の側面図である。
【図３】（Ａ）は押圧体の正面図、（Ｂ）は押圧体の側面図、（Ｃ）はアダプターの正面図、（Ｄ）はアダプターの側面図である。
【図４】（Ａ）〜（Ｃ）は排煙窓開閉用のフック棒による閉窓の使用状態を示す説明図である。
【考案を実施するための形態】
【０００８】
以下、本考案の実施の形態について、図面を用いて説明する。図面において、１は排煙窓の開閉用フック棒であって、長尺状の棒部２の一方の先端であるフック側先端２ａに二股に分かれたフックを有するフック部３を備え、他方の先端である押圧部側先端２ｂには略Ｔ字状に設けられた押圧部４を備えて構成されている。
【０００９】
フック部３は金属からなり、棒部２から略Ｙ字状に枝分かれして、それぞれの先端が棒部２側に向けて湾曲した第一、第二フック３ａ、３ｂを備えて構成されている。図２に示されるように、第一フック３ａは、第二フック３ｂより長尺とすることができる。このように第一、第二フック３ａ、３ｂの長さをそれぞれ異なるものとすることにより、異なる形状や高さに設けられた排煙窓１０１のトップラッチ１０２に対して、第一、第二フック３ａ、３ｂのいずれを差し込むか操作者が適宜選択してフック部３を係合させることができることとなる。尚、排煙窓１０１は、四周が框１０３によって囲繞され、ガラス部１０４が框１０３に嵌め込まれ、そして下側の框１０３が蝶番１０５によって枢支され、本実施の形態では屋外側に向けて略水平状に開放できるように構成されている。  
【００１０】
なお、フック部３が備えるフックの数は２つに限られず、１つとしてもよいし、３つ以上としてもよい。また、フックの形状は、湾曲したものに限られず、逆Ｌ字状、への字状に屈曲したもの等、トップラッチの係合解除に適した種々の形状とすることができる。
【００１１】
押圧部４は、棒部２に略Ｔ字状に固着されたアダプター５と、アダプター５を介して棒部２に対向して固着された押圧体６とから構成されている。アダプター５は、閉窓操作によって変形しない硬質の金属（例えばアルミニウムや鋼材）からなり、略長方形状の底面部５ａと、該底面部５ａの互いに対向する２つの長辺から直角状に延出した脚部５ｂと、該脚部５ｂの先端から互いに対向する方向に折曲し、対向端間が離間した腕部５ｃとを備えているが、該腕部５ｃは、中間部位が段差状になることで先半部位が底面部５ａ側に偏倚している。底面部５ａの中央部には挿通孔５ｄが設けられ、該挿通孔５ｄには、腕部５ｃの対向間側からボルト７が挿通されている。
また、棒部２の押圧部側先端２ｂにはナット８が埋め込まれており、該ナット８にボルト７を螺入させることによりアダプター５が棒部２に固着されるようになっている。
【００１２】
なお、アダプター５は、露出する表面の一部又は全部をゴム等の緩衝素材で覆蓋してもよい。このようにすると、誤ってアダプター５が框１０３やガラス部１０４等に接触した場合であっても、排煙窓１０１の框１０３やガラス部１０４等が破損する可能性を低減することができる。
【００１３】
押圧体６は、弾性が残る硬質ゴム等の材質からなり、底面部６ａは、アダプター腕部５ｃに当接する大きさの長方形状であって、底面部６ａには、アダプター腕部５ｃの互いに対向する先端から蟻溝状に嵌合して係合するよう先端側ほど対向間が拡開する傾斜状の脚部６ｂが設けられている。そして、押圧体６は、脚部６ｂをアダプター５の腕部５ｃと係合させた状態で、アダプター腕部５ｃと押圧体底面部６ａの当接部位を接着剤や両面粘着テープ等の固着材により固定することで、アダプター５と押圧体６とが一体化されるようになっている。
【００１４】
さらに押圧体６は、底面部６ａの二つの長辺から一対の脚辺６ｃが延設されるが、一方の脚辺６ｃは、他方の脚辺６ｄよりも長くなっており、そしてこれら脚辺６ｂ、６ｃの先端からは、高低高さが異なる状態で互いに対向する方向に向けて低上面６ｅと高上面６ｆとが形成されるが、低上面６ｅと高上面６ｆは、低上面６ｅ側から高上面６ｆに向けて先端側が次第に高くなる傾斜面６ｇによって連続するようになっており、これによって段差部６ｆが形成されている。このように段差部６ｈを形成することにより、排煙窓開閉用フック棒１を用いて排煙窓１０１を押し上げて閉窓するに際し、低上面６ｅ、高上面６ｆ、傾斜面６ｇが排煙窓１０１の框１０３やガラス部１０４と複数の面で係止することになるため、押圧部４が横滑りすることなく、確実に排煙窓の閉窓をすることができる。
また、押圧体６の段差部６ｈと底面部６ａとの間には中間脚辺６ｉが設けられており、これによって押圧体６は、中間脚辺６ｉを挟んで二室の中空体となっている。
【００１５】
叙述のごとく構成された本考案の実施の形態において、排煙窓開閉用フック棒１には、長尺状の棒部２の一端に第一、第二フック３ａ、３ｂを備えるフック部３を備えており、これにより、排煙窓１０１を開窓する際には、操作者が棒部２を把持し、第一、第二フック３ａ、３ｂのいずれかを排煙窓１０１のトップラッチ１０２に差し込んでトップラッチ１０２とトップラッチ受け１０２ａとの係合を解除することによって、排煙窓１０１を開窓することができる。
【００１６】
一方、排煙窓開閉用フック棒１の他端には押圧部４が備えられることとなるが、該押圧部４にはアダプター５を介して設けられた押圧体６を備えている。そして、押圧体６は表面（上面）に高低差がある段差部６ｈが設けられており、この結果、排煙窓１０１を閉窓する際には、操作者が棒部２を把持し、押圧体６を、排煙窓１０１の上側の框１０３のガラス部１０４側角部に、高上面６ｄが框１０３の上辺側に向いた状態で段差部６ｆを宛がうようにして押し当て、この状態で棒部２を押し上げると、押圧体６は、段差部６ｈが前記框１０３に係止する状態となって、排煙窓１０１が押し上げられ、トップラッチ１０２がトップラッチ受け１０２ａと係合して閉窓することになる。
このように本考案が実施されたものにおいては、開放している排煙窓１０１を閉窓するにあたり、押圧体６の段差部６ｈを上框１０３のガラス部１０４側コーナー部に係止する状態で排煙窓開閉用フック棒１を押し上げることになる結果、押圧体６が上框１０３から外れてガラス部１０４に当たってしまうようなことを回避することができ、迅速で軽快な排煙窓１０１の閉窓ができることになり、併せて排煙窓１０１の保護もできることになる。
【００１７】
なお、本考案は前記実施の形態に限定されるものではないことは勿論である。例えば、フック部、アダプターは着脱可能としてもよい。このようにすると、部品の交換を容易にすることができるようになり、種々の排煙窓にそれぞれ対応した複数のフック部、押圧部を適宜選択して取り付けることも可能となる。
また、本考案ではフック部で排煙窓を押し上げる必要がないため、フック部はトップラッチの係合を解除できる程度の強度を有する材質とすればよく、フック部の部材を幅広く変更することが可能である。
【産業上の利用可能性】
【００１８】
本考案は、排煙窓を開閉するために用いられる排煙窓開閉用のフック棒として産業上の利用可能性がある。
【符号の説明】
【００１９】
１      排煙窓開閉用フック棒
２      棒部
３      フック部
４      押圧部
５      アダプター
６      押圧体
６ｈ    段差部
６ｉ    中間脚辺
７      ボルト
８      ナット
１０１  排煙窓
１０２  トップラッチ
１０３  框
１０４  ガラス部
【図１】
0003202850.tif 000003
【図２】
0003202850.tif 000004
【図３】
0003202850.tif 000005
【図４】
0003202850.tif 000006